(57)【要約】      （修正有）【課題】文字を書くことが不慣れな使用者であっても、自筆による記載部分を金封の中央に沿って真っ直ぐに体裁よく記載することが容易な金封を提供する。【解決手段】本体１０に水引飾り２２が施された金封３０において、本体１０の表１２紙から透視可能な記入用のガイド部１７が設けられ、ガイド部１７が本体１０の表紙１２により覆われることを特徴とする金封３０である。【選択図】図１
0003169782.tif 000002
【実用新案登録請求の範囲】
【請求項１】
本体に水引飾りが施された金封において、
前記本体の表紙から透視可能な記入用のガイド部が設けられ、
当該ガイド部が前記本体の表紙により覆われることを特徴とする金封。
【請求項２】
前記ガイド部は、前記本体の一部に設けられた着色部であることを特徴とする請求項１記載の金封。
【請求項３】
前記着色部は、前記裏表紙の内側に設けられていることを特徴とする請求項２記載の金封。
【請求項４】
前記本体は、表紙と、裏表紙と、表紙および裏表紙の間に折り込まれる折り込み部により形成され、
前記着色部は、前記折り込み部に設けられていることを特徴とする請求項２記載の金封。
【請求項５】
前記本体は、表紙と、裏表紙と、表紙および裏表紙の間に折り込まれる折り込み部により形成され、
前記ガイド部は、前記折り込み部の折り込み先端縁によりなることを特徴とする請求項１記載の金封。
【請求項６】
前記ガイド部は、少なくとも前記本体の記名部分に設けられていることを特徴とする請求項１〜５のうちのいずれか一項に記載の金封。
【請求項７】
前記ガイド部は、直線であることを特徴とする請求項１〜６のうちのいずれか一項に記載の金封。
【請求項８】
前記水引飾りがエンボス加工により形成されていることを特徴とする請求項１〜７のうちのいずれか一項に記載の金封。
【考案の詳細な説明】
【技術分野】
【０００１】
本考案は金封に関する。
【背景技術】
【０００２】
わが国では、従来より、結婚式等の慶事あるいは葬儀等の弔事には、祝儀袋または不祝儀袋（以下金封という）に金員を包んで贈り、祝意や弔意を表す習慣となっている。
図６は、最も一般的な金封本体の展開図である。金封の本体１０は、表紙１２と、表紙１２に連接し、表紙１２の裏面側に表紙１２と重なるようにして折り返される裏表紙１４と、裏表紙１４の端縁部から表紙１２と裏表紙１４との間に折り込まれる折り込み部１６と、裏表紙１４の裏側を覆うようにして折り返される上部折り返し部１８および下部折り返し部２０とを有する。
【０００３】
慶事用の金封の場合には、上部折り返し部１８の端部が下部折り返し部２０の端部の下側に来るように折り返され、この重なった部位にリング状の水引飾り（図示せず）が外装されて金封として使用される。
また、弔事用には、慶事用の金封とは逆に、上部折り返し部１８の端部を下部折り返し部２０の端部に上側から重ねるように折り返して用いられる。
【０００４】
そして、慶事用であれば、「御祝」、「寿」等の文字が、弔事用であれば、「御霊前」、「御仏前」、「御香典」等の文字が表紙１２の水引飾りの上側位置に記載される。また、慶事用および弔事用いずれの場合においても、表紙１２の水引飾りの下側位置には差出人の氏名が記載される。
【０００５】
ところで、このような金封には、慶事用であれば、あらかじめ「寿」、「御祝」、「御祝儀」等の用途目的の文字が記載された複数の表示片（図示せず）が、弔事用であれば、あらかじめ「御霊前」、「御仏前」、「御香典」等の用途目的の文字が記載された複数の表示片（図示せず）が用意されているものが提供されている。このような金封においては、使用者が用途目的に合致した文字が表示されている表示片を選択し、その表示片に差出人の氏名を記載して用いることができる。
これら表示片は、複数種類準備されているもののうち、いずれか一種類のみが用いられることになり、他の表示片は廃棄されることが多く不経済である。
【０００６】
また、表示片には用途目的の文字は印刷されているが、差出人の氏名については使用者が自ら記載しなければならず、使用者が自分の氏名を表示片に斜めに記載してしまった場合には、金封を破棄しなければならないこともしばしば見受けられる。
金封に用途目的の文字や差出人の氏名を記載する際に好適な金封用の定規および金封の構成が、特許文献１および２において開示されている。
【先行技術文献】
【特許文献】
【０００７】
【特許文献１】特開２０００−３３５１９０号公報
【特許文献２】実用新案登録第３０８５０７３号公報
【考案の概要】
【考案が解決しようとする課題】
【０００８】
特許文献１に開示されている金封用の定規は、金封とは別体であるため、紛失してしまうおそれや、金封用の定規を使いたい時に手元に無いことによる不便がある。
また、特許文献１および２の差出人の氏名を記入する記名部分のガイド部はいずれも、開口部や矩形のガイド線であるため、差出人の氏名をガイド部内で斜めに記載してしまうおそれがあるといった致命的な課題がある。
【０００９】
そこで本考案は、文字を書くことが不慣れな使用者であっても、自筆による記載部分を金封の中央に沿って真っ直ぐに体裁よく記載することが容易な金封の提供を目的としている。
【課題を解決するための手段】
【００１０】
上記課題を解決するために本考案者は鋭意研究を行った結果、以下の構成に想到した。
すなわち、本体に水引飾りが施された金封において、前記本体の表紙から透視可能な記入用のガイド部が設けられ、当該ガイド部が前記本体の表紙により覆われることを特徴とする金封である。
【００１１】
また、前記ガイド部は、前記本体の一部に設けられた着色部であることが好ましい。
また、前記着色部は、前記裏表紙の内側に設けられていることが好ましい。
また、前記本体は、表紙と、裏表紙と、表紙および裏表紙の間に折り込まれる折り込み部により形成され、前記着色部は、前記折り込み部に設けられていることが好ましい。
これらの構成によれば、ガイド部の構成を簡素化することができ、ガイド部を設けることによるコストアップを最小限に抑えることができる。
【００１２】
また、前記本体は、表紙と、裏表紙と、表紙および裏表紙の間に折り込まれる折り込み部により形成され、前記ガイド部は、前記折り込み部の折り込み先端縁によりなることが好ましい。
これらの構成によれば、ガイド部を目立たなくすることができ、金封の外観を損なうことがない点で好都合である。
【００１３】
また、前記ガイド部は、少なくとも前記本体の記名部分に設けられていることが好ましい。これにより、用途部分の記載を予め印刷したものを用いることができ、自筆による記載部分を最小限にすることができ、使い勝手が良好である。
【００１４】
また、前記ガイド部は、直線であることが好ましい。これにより、さらに自筆による記載が楽になる。
さらにまた、前記水引飾りがエンボス加工により形成されていることが好ましい。これにより水引飾りを本体と別体にせずとも立体的な水引飾りにすることができ、金封の高級感を向上させることができる。
【考案の効果】
【００１５】
本考案にかかる金封の構成によれば、自筆による記載部分をガイドするガイド部が表紙から透視可能に配設されているので、字を書くことに不慣れな使用者であっても、ガイド部に沿って記載をすれば必要事項を金封の中央部分に真っ直ぐに体裁よく記載することができる。
また、折り込み部に設けられたガイド部は本体の表紙により覆われているから、記載が必要なときのみガイド部を表紙から透視可能にすることができる。すなわち、記載部分が書き込まれ、金員が収容された後は、ガイド部が透けて見えてしまうことがなく、体裁の良い自筆の金封とすることができる。
【図面の簡単な説明】
【００１６】
【図１】第１実施形態にかかる金封の正面透視図である。
【図２】第１実施形態にかかる金封の本体展開図である。
【図３】第２実施形態にかかる金封の正面透視図である。
【図４】第２実施形態にかかる金封の本体展開図である。
【図５】第３実施形態にかかる金封の正面透視図である。
【図６】従来の金封の本体展開図である。
【考案を実施するための最良の形態】
【００１７】
以下、本考案にかかる金封の実施形態について図面に基づいて説明する。
【００１８】
（第１実施形態）
図１および図２に示すように、本実施形態にかかる金封本体１０は、表紙１２と、表紙１２に連接し表紙１２の裏面側に表紙と重なるようにして折り返される裏表紙１４と、裏表紙１４端縁部から表紙１２と裏表紙１４との間に折り込まれる折り込み部１６と、裏表紙１４の裏側を覆うようにして折り返される上部折り返し部１８および下部折り返し部２０とを有している。このようにして形成された金封本体１０は、裏表紙１４、折り込み部１６、表紙１２との間に金員を挟み込むようにして収容した後、上部折り返し部１８と下部折り返し部２０を適宜状態に折り返し、上部折り返し部１８と下部折り返し部２０の重複部分に水引飾り２２を装着して金封３０として用いられる。図１中における破線は、折り込み部１６の折り込み先端縁の位置を示している。
【００１９】
本実施形態の折り込み部１６には、金封本体１０（表紙１２）の短手方向における中央位置と重複する部位にガイド部である着色部１７が設けられている。着色部１７は、いわゆる薄墨色で着色された所要幅寸法を有する直線からなるガイド線である。この着色部１７は、本体１０の表紙１２により覆われているので、通常の使用状態においては着色部１７の視認は困難である。また、着色部１７の薄墨色は特定の色彩に限定されるものではなく、表紙１２を折り込み部１６に密着させるように押し付ければ、表紙１２から折り込み部１６の着色部１７を透視することができる程度の彩度（または明度）を有している。
使用者は、必要時においてのみガイド部である着色部１７（ガイド線）を表紙１２から透視することで、金封本体１０の用途記入部分と記名部分における文字の記入用のガイド線として用いることができる。用途目的部分にあらかじめ印刷がなされている場合には、着色部１７をいわゆる差出人の記載部分にのみに設けるようにしてもよい。
【００２０】
（第２実施形態）
本実施形態における金封３０は、基本構成は第１の実施形態における金封１０と同様であるため、同じ符号を用いることで、各構成についての説明は省略する。
本実施形態における金封本体１０の折り込み部１６は、図３および図４に示すように、折り込み幅寸法が金封本体１０の幅寸法（Ｗ）の半分（Ｗ／２）となるように形成されている。これにより折り込み部１６の折り込み先端縁１６Ａが、金封本体１０（表紙１２）の短手方向における中心線位置と重複することになる。すなわち本実施形態においては、表紙１２から透視した折り込み部１６の折り込み先端縁１６Ａがガイド部として用いることができるようになっている。
【００２１】
本実施形態においては、まず金封本体１０を組み立て、金封本体１０を金封本体１０の厚さ方向に押圧し、表紙１２から折り込み先端縁１６Ａを透視し、透視した折り込み先端縁１６Ａをガイド部として金封本体１０の用途部分や差出人の記載部分の記入が行われる。
金封本体１０は、折り込み先端縁１６Ａを境界として、表紙１２と折り込み部１６と裏表紙１４の３層構造部分と、表紙１２と裏表紙１４の２層部分となっているので、表紙１２を折り込み部１６に密着させるようにすれば、折り込み先端縁１６Ａを境界として陰影状態に変化が生じ、折り込み先端縁１６Ａの位置を容易に確認（透視）することができる。記載部分の記入が完了した後に金封本体１０に水引飾り２２が装着され、金封３０が完成する。
【００２２】
（第３実施形態）
図５は、第３実施形態にかかる金封の正面透視図である。
本実施形態の金封３０は、以上の実施形態とは異なり、封筒状に形成された金封本体１０の表紙１２に水引飾り２２が印刷された簡易的な構成のものである。水引飾り２２を印刷する際には、通常のインク印刷の他、エンボス加工による印刷や、インク印刷とエンボス加工による印刷を併用した形態を適宜選択することができる。
このような金封３０においては、金封本体１０を組み立てる（糊付けする）前に、裏表紙１４の内側面（金員が収容される側の面）に、金封本体１０の幅方向における中央部分にガイド部として所要幅寸法を有する直線からなる着色部１７を設けておけばよい。
【００２３】
金封本体１０に金員を収容する前の状態で、表紙１２から着色部１７を透視し、直線状の着色部１７に沿って用途目的や差出人の氏名を記載すれば、金封本体１０の表紙１２に体裁よく自筆の記載をすることができる。表紙１２側から着色部１７を透視する際には、第１実施形態と同様にして行うことができる。この後、金封本体１０に金員を収容すれば、表紙１２側からも裏表紙１４側からも着色部１７が透けて見えることがなく、通常の金封３０と何ら変わらない外観を呈することができる。
【００２４】
以上に本考案にかかる金封３０の実施形態について説明したが、本願考案にかかる金封３０は以上に示した実施形態に限定されるものではなく、他の実施形態であっても本願の技術的範囲に属することはもちろんである。例えば、第１実施形態においては、ガイド部である着色部１７を折り込み部１６の表面側の所要位置に設けた形態について説明しているが、着色部１７を折り込み部１６の折り込み先端縁に設ける形態を採用してもよい。
また、以上の実施形態においては、金封３０に直接金員を収容している使用形態について説明しているが、金員を収容した別体の封筒を金封３０に収容する形態としてもよい。
【００２５】
また、第１実施形態および第３実施形態においては、ガイド部として用いる着色部１７を所要幅寸法を有する直線としているが、ガイド部の形態は直線に限定されるものではなく、用途部分や差出人の記載部分に記載すべき文字の大きさをガイドすることが可能な囲み部としてもよい。さらには、囲み部に中心線を設ける形態を採用すれば、なお好都合である。
さらにまた、実施形態１〜３で示した構成を適宜組み合わせた形態も本考案の技術的範囲に属するものである。
【符号の説明】
【００２６】
１０  金封本体
１２  表紙
１４  裏表紙
１６  折り込み部
１６Ａ  折り込み先端縁
１７  着色部
１８  上部折り返し部
２０  下部折り返し部
２２  水引飾り
３０  金封
【図２】
0003169782.tif 000003
【図４】
0003169782.tif 000004
【図６】
0003169782.tif 000005
【図１】
0003169782.tif 000006
【図３】
0003169782.tif 000007
【図５】
0003169782.tif 000008
【手続補正書】
【提出日】平成23年6月20日(2011.6.20)
【手続補正１】
【補正対象書類名】実用新案登録請求の範囲
【補正対象項目名】請求項１
【補正方法】変更
【補正の内容】
【請求項１】
本体に水引飾りが施された金封において、
少なくとも差出人を記載する際のガイドとなるガイド部が、前記本体の表紙によって覆われる本体の部位に設けられ、
当該ガイド部が、前記表紙をガイド部が設けられている前記本体の部位に押し付けることによって表紙から透けて見えることを特徴とする金封。
【手続補正２】
【補正対象書類名】明細書
【補正対象項目名】００１０
【補正方法】変更
【補正の内容】
【００１０】
上記課題を解決するために本考案者は鋭意研究を行った結果、以下の構成に想到した。
すなわち、本体に水引飾りが施された金封において、少なくとも差出人を記載する際のガイドとなるガイド部が、前記本体の表紙によって覆われる本体の部位に設けられ、当該ガイド部が、前記表紙をガイド部が設けられている前記本体の部位に押し付けることによって表紙から透けて見えることを特徴とする金封である。